(57)【要約】【課題】信号受信機のアンテナに対する電力供給設定の誤りによる信号の受信断や信号受信機の故障を防ぐ。【解決手段】信号受信部１１は、ＧＰＳアンテナからアンプを介して信号を受信する。電力供給部１２は、ＧＰＳアンテナおよびアンプに電力を供給する。第１判定部１３は、信号受信部１１が信号を受信しているか否かを判定し、第２判定部１４は、ＧＰＳアンテナおよびアンプに電力が供給されているか否かを判定する。第１判定部１３が信号を受信していないと判定し、かつ、第２判定部１４がＧＰＳアンテナおよびアンプに電力が供給されていないと判定した場合、制御部１５は、電力供給部１２にＧＰＳアンテナおよびアンプへの電力供給を開始させる。【選択図】図２
2013048393.tif 000002
【特許請求の範囲】
【請求項１】
アンテナ装置が受信する信号を、前記アンテナ装置が接続される信号分配器を経由して受信する信号受信手段と、
前記アンテナ装置に前記信号分配器を介して電力を供給する電力供給手段と、
前記信号を受信しているか否かを判定する第１判定手段と、
前記アンテナ装置に電力が供給されているか否かを判定する第２判定手段と、
前記信号を受信していないと判定し、かつ、前記アンテナ装置に電力が供給されていないと判定した場合、前記アンテナ装置への電力の供給を開始するよう前記電力供給手段を制御する制御手段と、
を備えることを特徴とする信号受信機。
【請求項２】
前記制御手段は、前記第１判定手段が前記信号を受信していないと判定し、かつ、前記第２判定手段が前記アンテナ装置に電力が供給されていると判定した場合、前記アンテナ装置が異常であると判定することを特徴とする請求項１に記載の信号受信機。
【請求項３】
前記制御手段は、前記電力供給手段が前記アンテナ装置に電力を供給しているときに、前記第１判定手段が前記信号を受信していないと判定した場合、前記アンテナ装置への電力の供給を停止するよう前記電力供給手段を制御し、前記アンテナ装置が異常であると判定することを特徴とする請求項１または２に記載の信号受信機。
【請求項４】
前記制御手段が、前記アンテナ装置が異常であると判定した場合、ユーザに報知する報知手段をさらに備えることを特徴とする請求項２または３に記載の信号受信機。
【請求項５】
信号を受信するアンテナ装置と、
前記アンテナ装置が受信する前記信号を複数の経路に分配する信号分配器と、
前記アンテナ装置が受信する前記信号を前記信号分配器を経由して受信する複数の信号受信機と、から構成され、
前記信号受信機はそれぞれ、
前記信号を前記信号分配器から受信する信号受信手段と、
前記アンテナ装置に前記信号分配器を介して電力を供給する電力供給手段と、
前記信号を受信しているか否かを判定する第１判定手段と、
前記アンテナ装置に電力が供給されているか否かを判定する第２判定手段と、
前記信号を受信していないと判定し、かつ、前記アンテナ装置に電力が供給されていないと判定した場合、前記アンテナ装置への電力の供給を開始するよう前記電力供給手段を制御する制御手段と、
を備えることを特徴とする信号受信システム。
【請求項６】
アンテナ装置に信号分配器を介して電力を供給する電力供給手段を備える信号受信機が実行する
前記アンテナ装置が受信する信号を、前記アンテナ装置が接続される前記信号分配器を経由して受信する信号受信ステップと、
前記信号を受信しているか否かを判定する第１判定ステップと、
前記アンテナ装置に電力が供給されているか否かを判定する第２判定ステップと、
前記信号を受信していないと判定し、かつ、前記アンテナ装置に電力が供給されていないと判定した場合、前記アンテナ装置への電力の供給を開始するよう前記電力供給手段を制御する制御ステップと、
を備えることを特徴とする信号受信方法。
【請求項７】
前記制御ステップでは、前記第１判定ステップで前記信号を受信していないと判定し、かつ、前記第２判定ステップで前記アンテナ装置に電力が供給されていると判定した場合、前記アンテナ装置が異常であると判定することを特徴とする請求項６に記載の信号受信方法。
【請求項８】
前記制御ステップでは、前記電力供給手段が前記アンテナ装置に電力を供給しているときに、前記第１判定ステップで前記信号を受信していないと判定した場合、前記アンテナ装置への電力の供給を停止するよう前記電力供給手段を制御し、前記アンテナ装置が異常であると判定することを特徴とする請求項６または７に記載の信号受信方法。
【請求項９】
前記制御ステップで前記アンテナ装置が異常であると判定した場合、ユーザに報知する報知ステップをさらに備えることを特徴とする請求項７または８に記載の信号受信方法。
【請求項１０】
アンテナ装置に信号分配器を介して電力を供給する電力供給手段を備える信号受信機を制御するコンピュータに
前記アンテナ装置が受信する信号を、前記アンテナ装置が接続される前記信号分配器を経由して受信する信号受信ステップと、
前記信号を受信しているか否かを判定する第１判定ステップと、
前記アンテナ装置に電力が供給されているか否かを判定する第２判定ステップと、
前記信号を受信していないと判定し、かつ、前記アンテナ装置に電力が供給されていないと判定した場合、前記アンテナ装置への電力の供給を開始するよう前記電力供給手段を制御する制御ステップと、
を実行させることを特徴とするプログラム。
【発明の詳細な説明】
【技術分野】
【０００１】
本発明は、アンテナから信号を受信する信号受信機、信号受信システム、信号受信方法およびプログラムに関する。
【背景技術】
【０００２】
ＧＰＳ（Global Positioning System）は、ＧＰＳ衛星から出力されるＧＰＳ信号内の時刻情報などに基づいて、ＧＰＳ衛星からＧＰＳ受信機までの擬似距離を計算し、ＧＰＳ受信機の測位を行うシステムである。そのため、測位の精度はＧＰＳ信号内の時刻情報の精度に大きく依存する。よって、時刻情報はルビジウム発振器やセシウム発振器などの高度な発振器を用いて生成されている。ＧＰＳの高精度の時刻情報は、ＧＰＳ受信機の測位以外にも使用される。携帯電話などの基地局装置では高精度の時刻情報を利用して、遠く離れた基地局装置間の時刻を同期させることに使用している。また、高精度の時刻情報は、基地局装置内の基準となるクロック信号を生成することにも使用されている。このため、１つのＧＰＳアンテナが受信したＧＰＳ信号を信号分配器を使用して複数のＧＰＳ受信機に分配することが行われている。
【０００３】
基地局装置などに実装するＧＰＳ受信機は、外付けのＧＰＳアンテナや、受信したＧＰＳ信号を増幅するためにＬＮＡ（低雑音増幅器：Low Noise Amplifier）などのアンプに信号分配器を介して接続し、ＧＰＳ信号を受信する。ＧＰＳアンテナやアンプの電源については、ＧＰＳ受信機から電力が供給される。
【０００４】
特許文献１には、内蔵アンテナ内のＲＦ回路による電源電力の消費を抑え、より省電力な可搬型ＧＰＳ受信機が開示されている。この可搬型ＧＰＳ受信機は、外部アンテナとの接続のためのコネクタに外部アンテナに係るコネクタが接続されたとき、電源からコネクタ間の接続を介し、外部アンテナ内のＲＦ回路に供給される電流を検出し、電源から内蔵アンテナに対する電源電圧の供給を遮断するアンテナ切替回路を設けている。
【０００５】
特許文献２には、車載通信機器による動作を、車載バッテリの消耗を抑制しながら必要な時期に確実に行うことができるようになる車載通信システムが開示されている。この車載通信システムでは、車両のメイン電源が遮断された状態では、車載サーバや車載機器の電源が遮断されるが、パケット通信機の電源は確保されている。パケット通信機がデータ管理センタからの動作指令信号を受信したときには、車載サーバへの電源供給が開始される。車載サーバの制御回路は、車載機器のうち動作指令信号による指令内容を実行するのに必要な機器に対する電源供給動作を電源スイッチング回路を通じて行い、その指令内容の実行が済んだ後に当該電源供給動作を終了する。
【０００６】
特許文献３には、低コストで、信頼性が高く、保守も容易である地表面変位監視システムが提示されている。この地表面変位監視システムの地表面変位面的検出装置は、ＧＰＳ機能と外部との送受信を行う通信機能とを有し独立電源を備えた親局装置とこの親局装置を中心にその周りに配設され親局装置から給電されると共に当該親局装置へ位置情報信号を送信する子局群とで構成され、地表面変位面的検出装置の各々がデータ収集サーバに至る無線ネットワークを自律的に構築する機能を有する。
【０００７】
特許文献４には、設置配線等の工事を容易にし、初期設定や停電事故等による供給電源停止などに対して、全くのメンテナンスフリーな塔時計装置が開示されている。この塔時計装置は、ＧＰＳ衛星からの電波を受信し、時刻情報を出力する時刻情報受信機と、時針および分針を駆動させるムーブメントには各々独立して電源を供給する。時刻情報受信機は、ＧＰＳ衛星からの受信時刻情報を１対のシリアル信号線を経由してムーブメントに伝送する。
【０００８】
特許文献５には、電池を電力源として動作させるとき消費電力を低減させたＧＰＳ受信装置が開示されている。このＧＰＳ受信装置は、電池と外部電源との一方を選択して駆動電源とする電力源切替回路と、ＧＰＳ衛星からの信号の捕捉および追尾をする複数の信号追尾回路とを備える。ＧＰＳ受信装置は、電力源切替回路によって電池が選択されたとき、所定の信号追尾回路を選択して動作状態にし、かつ選択されていないその他の信号追尾回路を停止状態にさせる。
【先行技術文献】
【特許文献】
【０００９】
【特許文献１】特開２００２−１９６０６５号公報
【特許文献２】特開２００３−３４６２８８号公報
【特許文献３】特開２００７−０５２５８８号公報
【特許文献４】特開２００８−２０９２７０号公報
【特許文献５】特開平０６−１０２３３８号公報
【発明の概要】
【発明が解決しようとする課題】
【００１０】
１つのＧＰＳアンテナに対して複数のＧＰＳ受信機に信号分配器を使用してＧＰＳ信号を分配する場合は、信号分配器がＤＣカット（直流カット）されている必要がある。なぜなら、複数のＧＰＳ受信機から出力されるアンテナ電源の電圧に差がある場合、信号分配器を介して電圧が低いほうに電流が流れ込んでしまい、ＧＰＳ受信機が故障する可能性があるからである。このため、従来、信号分配器がＤＣカットされていない場合は複数のＧＰＳ受信機はいずれか１つがＧＰＳアンテナへ電力を供給する設定にする必要があった。
【００１１】
しかし、設定を誤って複数のＧＰＳ受信機がＧＰＳアンテナへ電力を供給する設定にしてしまった場合、ＧＰＳ受信機が故障する可能性がある。また、設定を誤っていずれのＧＰＳ受信機もＧＰＳアンテナへ電力を供給しない設定にしてしまった場合、ＧＰＳ信号が受信できない。これは、ＧＰＳに限らず、その他の信号受信システムにおいても同様である。
【００１２】
特許文献１〜５に記載の技術は、信号受信機のアンテナに対する電力供給設定の誤りによる信号の受信断や信号受信機の故障を防ぐものではない。
【００１３】
本発明は、上述のような事情に鑑みてなされたもので、１つのアンテナに対して複数の信号受信機が信号分配器を介して電力供給が可能な場合、信号分配器がＤＣカットされていなくても、信号受信機のアンテナに対する電力供給設定の誤りによる信号の受信断や信号受信機の故障を防ぐことができる信号受信機、信号受信システム、信号受信方法およびプログラムを提供することを目的とする。
【課題を解決するための手段】
【００１４】
本発明の第１の観点に係る信号受信機は、
アンテナ装置が受信する信号を、前記アンテナ装置が接続される信号分配器を経由して受信する信号受信手段と、
前記アンテナ装置に前記信号分配器を介して電力を供給する電力供給手段と、
前記信号を受信しているか否かを判定する第１判定手段と、
前記アンテナ装置に電力が供給されているか否かを判定する第２判定手段と、
前記信号を受信していないと判定し、かつ、前記アンテナ装置に電力が供給されていないと判定した場合、前記アンテナ装置への電力の供給を開始するよう前記電力供給手段を制御する制御手段と、
を備えることを特徴とする。
【００１５】
本発明の第２の観点に係る信号受信システムは、
信号を受信するアンテナ装置と、
前記アンテナ装置が受信する前記信号を複数の経路に分配する信号分配器と、
前記アンテナ装置が受信する前記信号を前記信号分配器を経由して受信する複数の信号受信機と、から構成され、
前記信号受信機はそれぞれ、
前記信号を前記信号分配器から受信する信号受信手段と、
前記アンテナ装置に前記信号分配器を介して電力を供給する電力供給手段と、
前記信号を受信しているか否かを判定する第１判定手段と、
前記アンテナ装置に電力が供給されているか否かを判定する第２判定手段と、
前記信号を受信していないと判定し、かつ、前記アンテナ装置に電力が供給されていないと判定した場合、前記アンテナ装置への電力の供給を開始するよう前記電力供給手段を制御する制御手段と、
を備えることを特徴とする。
【００１６】
本発明の第３の観点に係る信号受信方法は、
アンテナ装置に信号分配器を介して電力を供給する電力供給手段を備える信号受信機が実行する
前記アンテナ装置が受信する信号を、前記アンテナ装置が接続される前記信号分配器を経由して受信する信号受信ステップと、
前記信号を受信しているか否かを判定する第１判定ステップと、
前記アンテナ装置に電力が供給されているか否かを判定する第２判定ステップと、
前記信号を受信していないと判定し、かつ、前記アンテナ装置に電力が供給されていないと判定した場合、前記アンテナ装置への電力の供給を開始するよう前記電力供給手段を制御する制御ステップと、
を備えることを特徴とする。
【００１７】
本発明の第４の観点に係るプログラムは、アンテナ装置に信号分配器を介して電力を供給する電力供給手段を備える信号受信機を制御するコンピュータに
前記アンテナ装置が受信する信号を、前記アンテナ装置が接続される前記信号分配器を経由して受信する信号受信ステップと、
前記信号を受信しているか否かを判定する第１判定ステップと、
前記アンテナ装置に電力が供給されているか否かを判定する第２判定ステップと、
前記信号を受信していないと判定し、かつ、前記アンテナ装置に電力が供給されていないと判定した場合、前記アンテナ装置への電力の供給を開始するよう前記電力供給手段を制御する制御ステップと、
を実行させることを特徴とする。
【発明の効果】
【００１８】
本発明の信号受信機、信号受信システム、信号受信方法およびプログラムによれば、１つのアンテナに対して複数の信号受信機が信号分配器を介して電力供給が可能な場合、信号分配器がＤＣカットされていなくても、信号受信機のアンテナに対する電力供給設定の誤りによる信号の受信断や信号受信機の故障を防ぐことができる。
【図面の簡単な説明】
【００１９】
【図１】本発明の実施の形態に係るＧＰＳ受信システムの構成例を示すブロック図である。
【図２】実施の形態に係るＧＰＳ受信機の機能構成の一例を示すブロック図である。
【図３】実施の形態に係るＧＰＳ受信機のハードウェア構成の一例を示すブロック図である。
【図４】実施の形態に係るＧＰＳ受信機の起動時の電力供給の動作の一例を示すフローチャートである。
【図５】実施の形態に係るＧＰＳ受信機のＧＰＳ信号の受信断時の電力供給の動作の一例を示すフローチャートである。
【発明を実施するための形態】
【００２０】
本実施の形態では、信号受信システムを代表してＧＰＳに本発明を適用した例を説明する。本実施の形態において、信号受信機はＧＰＳ受信機であり、信号受信システムはＧＰＳ受信システムである。また、アンテナ装置は、ＧＰＳ衛星から出力されるＧＰＳ信号を受信するＧＰＳアンテナとＧＰＳアンテナが受信したＧＰＳ信号を増幅するアンプを含む装置である。
【００２１】
以下、本発明を実施するための形態について図を参照して詳細に説明する。なお図中、同一または同等の部分には同一の符号を付す。
【００２２】
図１は、本実施の形態に係るＧＰＳ受信システムの構成例を示すブロック図である。ＧＰＳ受信システム１００は、複数のＧＰＳ受信機１と、信号分配器２と、アンプ３と、ＧＰＳアンテナ４とから構成される。
【００２３】
ＧＰＳアンテナ４は、ＧＰＳ衛星から出力されるＧＰＳ信号を受信する。アンプ３は、ＧＰＳアンテナ４が受信したＧＰＳ信号を増幅して信号分配器２に送信する。信号分配器２は、アンプ３から受信したＧＰＳ信号を各ＧＰＳ受信機１に送信する。各ＧＰＳ受信機１は信号分配器２からＧＰＳ信号を受信する。また、ＧＰＳ受信機１は、信号分配器２を介して、ＧＰＳアンテナ４およびアンプ３に電力を供給する。
【００２４】
図２は、実施の形態に係るＧＰＳ受信機の機能構成の一例を示すブロック図である。ＧＰＳ受信機１は、信号受信部１１、電力供給部１２、第１判定部１３、第２判定部１４、および制御部１５を備える。
【００２５】
信号受信部１１は、信号分配器２からＧＰＳ信号を受信する。信号受信部１１は、第１判定部１３を介して制御部１５に受信したＧＰＳ信号を送る。
【００２６】
電力供給部１２は、信号分配器２を介して、ＧＰＳアンテナ４およびアンプ３に電力を供給する。
【００２７】
第１判定部１３は、信号受信部１１がＧＰＳ信号を受信しているか否かを判定する。第１判定部１３は、判定結果を制御部１５に送る。
【００２８】
第２判定部１４は、信号分配器２を介して、ＧＰＳアンテナ４およびアンプ３に電力が供給されているか否かを判定する。第２判定部１４は、判定結果を制御部１５に送る。  
【００２９】
制御部１５は、信号受信部１１から受信したＧＰＳ信号に基づいて測位計算を行う。制御部１５は、測位計算の結果を示す測位情報を記憶しておいてもよいし、外部に送信してもよい。また、制御部１５は、電力供給部１２のＧＰＳアンテナ４およびアンプ３への電力供給を制御する。具体的には、第１判定部がＧＰＳ信号を受信していないと判定し、第２判定部１４がＧＰＳアンテナ４およびアンプ３に電力が供給されていないと判定した場合、電力供給部１２に電力供給を開始させる。
【００３０】
なお、ＧＰＳ受信機１が携帯電話などの基地局装置に実装されており、ＧＰＳ信号に含まれる時刻情報を利用して、基地局装置間の時刻を同期させることに使用する場合には、制御部１５は、信号受信部１１から受信したＧＰＳ信号内の時刻情報に基づいて、基地局装置間の時刻を同期させる。また、ＧＰＳ信号に含まれる時刻情報に基づいて基地局装置内の基準となるクロック信号を生成する場合には、制御部１５は、信号受信部１１から受信したＧＰＳ信号に基づいて、クロック信号を生成する。
【００３１】
図３は、実施の形態に係るＧＰＳ受信機のハードウェア構成の一例を示すブロック図である。ＧＰＳ受信機１は、図３に示すように、ＲＦ部１１１、ベースバンド部１１２、電源１１３、電源切り替え用ＦＥＴ１１４、電源制御部１１５および電源電圧監視部１１６を備える。
【００３２】
ＲＦ部１１１は、ノイズを除去してＧＰＳ衛星からの高周波信号を取り出すＲＦフィルタや、取り出した高周波信号を中間周波数に変換するダウンコンバータ、その中間周波数のアナログ信号をデジタル信号に変換するＡ−Ｄコンバータなどで構成される。ＲＦ部１１１は、変換したデジタル信号をベースバンド部１１２に送る。ＲＦ部１１１は、信号受信部１１として機能する。
【００３３】
ベースバンド部１１２は、ＣＰＵ（Central Processing Unit）やＲＡＭ（Random-Access Memory）、ＲＯＭ（Read Only Memory）、リアルタイムクロック等から構成され、ＲＯＭに記憶されている制御プログラムに従って、ＲＦ部１１１から受け取ったデジタル信号を変換してベースバンド信号を生成する。ベースバンド部１１２は、ベースバンド信号に基づいて、ＧＰＳ衛星との擬似距離を求めたり、ドップラ周波数からドップラ速度を求めたりすることにより、ＧＰＳ受信機１の位置を求める測位計算を実行する。また、ベースバンド部１１２は、ＲＦ部１１１からデジタル信号を受け取るか否かで、ＧＰＳ信号を受信しているか否かを判定する。
【００３４】
なお、前述のように、ＧＰＳ信号をＧＰＳ受信機１の測位以外に使用する場合には、ベースバンド部１１２は、生成したベースバンド信号から時刻情報を抽出し、基地局装置間の時刻を同期させたり、クロック信号を生成したりする各処理を行う。ベースバンド部１１２は、判定部１３および制御部１５として機能する。
【００３５】
電源１１３は、ＧＰＳ受信機１の電源であり、ＧＰＳアンテナ４およびアンプ３に電力を供給するための電源である。
【００３６】
電源制御部１１５はＣＰＵやＲＡＭ、ＲＯＭ等から構成され、ＲＯＭに記憶されている制御プログラムに従って、電源切り替え用ＦＥＴ１１４を制御し、制御部１５の電源制御処理を実行する。
【００３７】
電源電圧監視部１１６はＣＰＵやＲＡＭ、ＲＯＭ等から構成され、ＲＯＭに記憶されている制御プログラム２に従って、信号分配器２を介してＧＰＳアンテナ４およびアンプ３にかかる電圧を監視し、第２判定部１４の処理を実行する。なお、電源制御部１１５および電源電圧監視部１１６の処理は、ベースバンド部１１２のＣＰＵが実行してもよい。
【００３８】
図２に示すＧＰＳ受信機１の信号受信部１１、電力供給部１２、第１判定部１３、第２判定部１４および制御部１５の処理は、各制御プログラムが、ＲＦ部１１１、ベースバンド部１１２、電源１１３、電源切り替え用ＦＥＴ１１４、電源制御部１１５および電源電圧監視部１１６などを資源として用いて処理することによって実行する。
【００３９】
図４は、実施の形態に係るＧＰＳ受信機の起動時の電力供給の動作の一例を示すフローチャートである。ＧＰＳ受信機１が起動すると、まず、第１判定部１３は、信号受信部１１がＧＰＳ信号を受信しているか否かを判定する（ステップＳ１１）。ＧＰＳ信号を受信している場合（ステップＳ１１；ＹＥＳ）、処理を終了する。
【００４０】
ＧＰＳ信号を受信してない場合（ステップＳ１１；ＮＯ）、第２判定部１４は、ＧＰＳアンテナ４およびアンプ３に電源電圧が印加されているか否かを判定する（ステップＳ１２）。ＧＰＳアンテナ４およびアンプ３に電源電圧が印加されている場合（ステップＳ１２；ＹＥＳ）、制御部１５は、ＧＰＳアンテナ４またはアンプ３の異常と判定し（ステップＳ１６）、処理を終了する。
【００４１】
ＧＰＳアンテナ４およびアンプ３に電源電圧が印加されていない場合（ステップＳ１２；ＮＯ）、制御部１５は、電力供給部１２にＧＰＳアンテナ４およびアンプ３への電力の供給を開始させる（ステップＳ１３）。次に、第１判定部１３は、信号受信部１１がＧＰＳ信号を受信しているか否かを判定する（ステップＳ１４）。ＧＰＳ信号を受信している場合（ステップＳ１４；ＹＥＳ）、処理を終了する。
【００４２】
ＧＰＳ信号を受信してない場合（ステップＳ１４；ＮＯ）、制御部１５は、電力供給部１２にＧＰＳアンテナ４およびアンプ３への電力の供給を停止させる（ステップＳ１５）。そして、制御部１５は、ＧＰＳアンテナ４またはアンプ３の異常と判定し（ステップＳ１６）、処理を終了する。
【００４３】
図５は、実施の形態に係るＧＰＳ受信機のＧＰＳ信号の受信断時の電力供給の動作の一例を示すフローチャートである。図４に示したフローチャートにおいて、ステップＳ１１またはステップＳ１４でＧＰＳ信号を受信し、ＧＰＳ受信装置１が動作状態になると、第１判定部１３は、信号受信部１１がＧＰＳ信号を受信しているか否かを判定する（ステップＳ２１）。ＧＰＳ信号を受信している場合（ステップＳ２１；ＹＥＳ）、第１判定部１３は、ステップＳ２１を繰り返し、ＧＰＳ信号の受信断を監視する。
【００４４】
ＧＰＳ信号を受信してない場合（ステップＳ２１；ＮＯ）、第２判定部１４は、ＧＰＳアンテナ４およびアンプ３に電源電圧が印加されているか否かを判定する（ステップＳ２２）。ＧＰＳアンテナ４およびアンプ３に電源電圧が印加されている場合（ステップＳ２２；ＹＥＳ）、制御部１５は、ＧＰＳアンテナ４またはアンプ３の異常と判定し（ステップＳ２６）、処理を終了する。
【００４５】
ＧＰＳアンテナ４およびアンプ３に電源電圧が印加されていない場合（ステップＳ２２；ＮＯ）、制御部１５は、電力供給部１２にＧＰＳアンテナ４およびアンプ３への電力の供給を開始させる（ステップＳ２３）。次に、第１判定部１３は、信号受信部１１がＧＰＳ信号を受信しているか否かを判定する（ステップＳ２４）。ＧＰＳ信号を受信している場合（ステップＳ２４；ＹＥＳ）、処理を終了する。
【００４６】
ＧＰＳ信号を受信してない場合（ステップＳ２４；ＮＯ）、制御部１５は、電力供給部１２にＧＰＳアンテナ４およびアンプ３への電力の供給を停止させる（ステップＳ２５）。そして、制御部１５は、ＧＰＳアンテナ４またはアンプ３の異常と判定し（ステップＳ２６）、処理を終了する。
【００４７】
以上説明したように、本実施の形態のＧＰＳ受信機１によれば、ＧＰＳ受信機１からＧＰＳアンテナ４およびアンプ３への電力供給を自律的に行うことによって、信号分配器２がＤＣカットされていなくても、ＧＰＳ受信機１のＧＰＳアンテナ４およびアンプ３に対する電力供給設定の誤りによるＧＰＳ信号の受信断やＧＰＳ受信機１の故障を防ぐことができる。これにより、信号分配器がＤＣカットされている必要がなくなる。
【００４８】
上述の実施の形態では、制御部１５は、ＧＰＳアンテナ４またはアンプ３の異常と判定する。さらに、制御部１５は、ＧＰＳアンテナ４またはアンプ３の異常と判定したときに、ユーザに対して報知してもよい。たとえば、あらかじめ記憶するユーザのメールアドレスにＧＰＳアンテナ４またはアンプ３の異常を示すメールを送信したり、ＧＰＳ受信機１は表示部および／または音声出力部を備え、ＧＰＳアンテナ４またはアンプ３の異常を示す画面を表示したり、音声を出力したりする。
【００４９】
また、ＧＰＳ受信機１は、電源電圧監視部１１６を内部に有するが、外部に備えてもよい。この場合、ＧＰＳ受信機１の第２判定部１４は、外部からＧＰＳアンテナ４およびアンプ３に電力が供給されているか否かを示す情報を取得する。
【００５０】
さらに、本発明の適用は、ＧＰＳ信号を受信するＧＰＳアンテナやアンプ、ＧＰＳ受信機に限らず、信号を受信するアンテナ装置および該信号を受信する受信機に適用することができる。
【００５１】
その他、前記のハードウェア構成やフローチャートは一例であり、任意に変更および修正が可能である。
【００５２】
ベースバンド部１１２、電源制御部１１５および電源電圧監視部１１６などから構成される電源供給処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するＧＰＳ受信機１を構成してもよい。また、インターネット等の通信ネットワーク上のサーバ装置が有する記憶装置に当該コンピュータプログラムを格納しておき、通常のコンピュータシステムがダウンロード等することでＧＰＳ受信機１を構成してもよい。
【００５３】
また、ＧＰＳ受信機１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００５４】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００５５】
上記の実施形態の一部又は全部は、以下の付記のようにも記載されうるが、以下には限られない。
【００５６】
（付記１）
アンテナ装置が受信する信号を、前記アンテナ装置が接続される信号分配器を経由して受信する信号受信手段と、
前記アンテナ装置に前記信号分配器を介して電力を供給する電力供給手段と、
前記信号を受信しているか否かを判定する第１判定手段と、
前記アンテナ装置に電力が供給されているか否かを判定する第２判定手段と、
前記信号を受信していないと判定し、かつ、前記アンテナ装置に電力が供給されていないと判定した場合、前記アンテナ装置への電力の供給を開始するよう前記電力供給手段を制御する制御手段と、
を備えることを特徴とする信号受信機。
【００５７】
（付記２）
前記制御手段は、前記第１判定手段が前記信号を受信していないと判定し、かつ、前記第２判定手段が前記アンテナ装置に電力が供給されていると判定した場合、前記アンテナ装置が異常であると判定することを特徴とする付記１に記載の信号受信機。
【００５８】
（付記３）
前記制御手段は、前記電力供給手段が前記アンテナ装置に電力を供給しているときに、前記第１判定手段が前記信号を受信していないと判定した場合、前記アンテナ装置への電力の供給を停止するよう前記電力供給手段を制御し、前記アンテナ装置が異常であると判定することを特徴とする付記１または２に記載の信号受信機。
【００５９】
（付記４）
前記制御手段が、前記アンテナ装置が異常であると判定した場合、ユーザに報知する報知手段をさらに備えることを特徴とする付記２または３に記載の信号受信機。
【００６０】
（付記５）
信号を受信するアンテナ装置と、
前記アンテナ装置が受信する前記信号を複数の経路に分配する信号分配器と、
前記アンテナ装置が受信する前記信号を前記信号分配器を経由して受信する複数の信号受信機と、から構成され、
前記信号受信機はそれぞれ、
前記信号を前記信号分配器から受信する信号受信手段と、
前記アンテナ装置に前記信号分配器を介して電力を供給する電力供給手段と、
前記信号を受信しているか否かを判定する第１判定手段と、
前記アンテナ装置に電力が供給されているか否かを判定する第２判定手段と、
前記信号を受信していないと判定し、かつ、前記アンテナ装置に電力が供給されていないと判定した場合、前記アンテナ装置への電力の供給を開始するよう前記電力供給手段を制御する制御手段と、
を備えることを特徴とする信号受信システム。
【００６１】
（付記６）
アンテナ装置に信号分配器を介して電力を供給する電力供給手段を備える信号受信機が実行する
前記アンテナ装置が受信する信号を、前記アンテナ装置が接続される前記信号分配器を経由して受信する信号受信ステップと、
前記信号を受信しているか否かを判定する第１判定ステップと、
前記アンテナ装置に電力が供給されているか否かを判定する第２判定ステップと、
前記信号を受信していないと判定し、かつ、前記アンテナ装置に電力が供給されていないと判定した場合、前記アンテナ装置への電力の供給を開始するよう前記電力供給手段を制御する制御ステップと、
を備えることを特徴とする信号受信方法。
【００６２】
（付記７）
前記制御ステップでは、前記第１判定ステップで前記信号を受信していないと判定し、かつ、前記第２判定ステップで前記アンテナ装置に電力が供給されていると判定した場合、前記アンテナ装置が異常であると判定することを特徴とする付記６に記載の信号受信方法。
【００６３】
（付記８）
前記制御ステップでは、前記電力供給手段が前記アンテナ装置に電力を供給しているときに、前記第１判定ステップで前記信号を受信していないと判定した場合、前記アンテナ装置への電力の供給を停止するよう前記電力供給手段を制御し、前記アンテナ装置が異常であると判定することを特徴とする付記６または７に記載の信号受信方法。
【００６４】
（付記９）
前記制御ステップで前記アンテナ装置が異常であると判定した場合、ユーザに報知する報知ステップをさらに備えることを特徴とする付記７または８に記載の信号受信方法。
【００６５】
（付記１０）
アンテナ装置に信号分配器を介して電力を供給する電力供給手段を備える信号受信機を制御するコンピュータに
前記アンテナ装置が受信する信号を、前記アンテナ装置が接続される前記信号分配器を経由して受信する信号受信ステップと、
前記信号を受信しているか否かを判定する第１判定ステップと、
前記アンテナ装置に電力が供給されているか否かを判定する第２判定ステップと、
前記信号を受信していないと判定し、かつ、前記アンテナ装置に電力が供給されていないと判定した場合、前記アンテナ装置への電力の供給を開始するよう前記電力供給手段を制御する制御ステップと、
を実行させることを特徴とするプログラム。
【符号の説明】
【００６６】
１  ＧＰＳ受信機
２  信号分配器
３  アンプ
４  ＧＰＳアンテナ
１１  信号受信部
１２  電力供給部
１３  第１判定部
１４  第２判定部
１５  制御部
１００  ＧＰＳ受信システム
１１１  ＲＦ部
１１２  ベースバンド部
１１３  電源
１１４  電源切り替え用ＦＥＴ
１１５  電源制御部
１１６  電源電圧監視部
【図１】
2013048393.tif 000003
【図２】
2013048393.tif 000004
【図３】
2013048393.tif 000005
【図４】
2013048393.tif 000006
【図５】
2013048393.tif 000007